(57)【要約】【課題】島内の構成を簡素化し得るとともに部品点数を削減することができ、補給樋及びオーバーフロー樋のメンテナンスを一括して行わせることができるパチンコ遊技機の島設備を提供する。【解決手段】島上に配設されるとともに、各パチンコ遊技機に対して補給すべき遊技球が貯留される島上タンク３と、島上タンク３から島端に向かって延設され、当該島上タンク３内の遊技球を流出させて各パチンコ遊技機に補給し得る補給樋（４ａ、４ｂ）と、補給樋からオーバーフローした遊技球を流出させて、島内に設置された島中タンクに流下させるオーバーフロー樋（５ａ、５ｂ）とを具備するとともに、補給樋とオーバーフロー樋とが一体化されて、当該補給樋の遊技球の流路と当該オーバーフロー樋の遊技球の流路とを有した一体構造部材とされたパチンコ遊技機の島設備である。【選択図】図１０
2011136103.tif 000002
【特許請求の範囲】
【請求項１】
パチンコ遊技機が複数並列に設置されたパチンコ遊技機の島設備であって、
島上に配設されるとともに、各パチンコ遊技機に対して補給すべき遊技球が貯留される島上タンクと、
該島上タンクから島端に向かって延設され、当該島上タンク内の遊技球を流出させて各パチンコ遊技機に補給し得る補給樋と、
該補給樋からオーバーフローした遊技球を流出させて、島内に設置された島中タンクに流下させるオーバーフロー樋と、
を具備するとともに、
前記補給樋とオーバーフロー樋とが一体化されて、当該補給樋の遊技球の流路と当該オーバーフロー樋の遊技球の流路とを有した一体構造部材とされたことを特徴とするパチンコ遊技機の島設備。
【請求項２】
前記補給樋の遊技球の流路及び前記オーバーフロー樋の遊技球の流路は、前記島上タンクの側面に形成された開口とそれぞれ接続されたことを特徴とする請求項１記載のパチンコ遊技機の島設備。
【請求項３】
前記補給樋とオーバーフロー樋とは一体化されて上下２層の遊技球の流路を有するものとされるとともに、前記オーバーフロー樋の遊技球の流路が前記補給樋の遊技球の流路より上層に位置しつつ延設されたことを特徴とする請求項１又は請求項２記載のパチンコ遊技機の島設備。
【請求項４】
前記オーバーフロー樋は、一方の島端に向かって延設された一方の流出樋、及び他方の島端に向かって延設された他方の流出樋を有するとともに、前記島上タンク内には、前記補給樋をオーバーフローした遊技球が前記一方の流出樋又は他方の流出樋の何れを優先的に流出させるか切換可能な切換手段が配設されたことを特徴とする請求項１又は請求項２記載のパチンコ遊技機の島設備。
【発明の詳細な説明】
【技術分野】
【０００１】
本発明は、パチンコ遊技機が複数並列に設置されたパチンコ遊技機の島設備に関するものである。
【背景技術】
【０００２】
パチンコ遊技機の島設備は、パチンコ店内ホールに設置され、複数のパチンコ遊技機が横並びに配設されるとともに、それらパチンコ遊技機に対して電力の供給や遊技球の供給及び回収等を行い得るよう構成されている。かかるパチンコ遊技機の島設備においては、通常、パチンコ遊技球から排出された遊技球を回収するアウトレールと、該アウトレールで回収された遊技球を貯留する島中タンクと、島上に配設されて遊技球を貯留可能な島上タンクと、島中タンクで貯留した遊技球を島上タンクまで揚送する揚送機とが配設されている。
【０００３】
更に、通常の島設備においては、島上タンク内に貯留した遊技球を島端に向かって流出させるとともに各パチンコ遊技機に遊技球を補給可能な補給樋と、当該島上タンク内に貯留した遊技球であって供給樋からオーバーフローした遊技球を島端に向かって流出させるとともに島中タンクに流下させるオーバーフロー樋とが延設されていた。このうち、補給樋は、島上タンクに接続されて島端に向かって延設されるとともに、オーバーフロー樋は、島上タンクの下部に別個配設された振分けタンクに接続され、補給樋よりも下方の位置で当該補給樋と別体構成とされ、独立して延設されていた。尚、かかる先行技術は、文献公知発明に係るものでないため、記載すべき先行技術文献情報はない。
【発明の概要】
【発明が解決しようとする課題】
【０００４】
しかしながら、上記従来のパチンコ遊技機の島設備においては、補給樋とオーバーフロー樋とが別体構成とされて、それぞれが独立して延設されていたので、各樋を支持する支持部材がそれぞれ必要とされて島内の構成が複雑化してしまうとともに、必要とされる支持部材の部品点数が増加してしまって製造コストが悪化してしまうという問題があった。また、メンテナンスもそれぞれ行う必要があるという不具合もあった。
【０００５】
本発明は、このような事情に鑑みてなされたもので、島内の構成を簡素化し得るとともに部品点数を削減することができ、補給樋及びオーバーフロー樋のメンテナンスを一括して行わせることができるパチンコ遊技機の島設備を提供することにある。
【課題を解決するための手段】
【０００６】
請求項１記載の発明は、パチンコ遊技機が複数並列に設置されたパチンコ遊技機の島設備であって、島上に配設されるとともに、各パチンコ遊技機に対して補給すべき遊技球が貯留される島上タンクと、該島上タンクから島端に向かって延設され、当該島上タンク内の遊技球を流出させて各パチンコ遊技機に補給し得る補給樋と、該補給樋からオーバーフローした遊技球を流出させて、島内に設置された島中タンクに流下させるオーバーフロー樋とを具備するとともに、前記補給樋とオーバーフロー樋とが一体化されて、当該補給樋の遊技球の流路と当該オーバーフロー樋の遊技球の流路とを有した一体構造部材とされたことを特徴とする。
【０００７】
請求項２記載の発明は、請求項１記載のパチンコ遊技機の島設備において、前記補給樋の遊技球の流路及び前記オーバーフロー樋の遊技球の流路は、前記島上タンクの側面に形成された開口とそれぞれ接続されたことを特徴とする。
【０００８】
請求項３記載の発明は、請求項１又は請求項２記載のパチンコ遊技機の島設備において、前記補給樋とオーバーフロー樋とは一体化されて上下２層の遊技球の流路を有するものとされるとともに、前記オーバーフロー樋の遊技球の流路が前記補給樋の遊技球の流路より上層に位置しつつ延設されたことを特徴とする。
【０００９】
請求項４記載の発明は、請求項１又は請求項２記載のパチンコ遊技機の島設備において、前記オーバーフロー樋は、一方の島端に向かって延設された一方の流出樋、及び他方の島端に向かって延設された他方の流出樋を有するとともに、前記島上タンク内には、前記補給樋をオーバーフローした遊技球が前記一方の流出樋又は他方の流出樋の何れを優先的に流出させるか切換可能な切換手段が配設されたことを特徴とする。
【発明の効果】
【００１０】
請求項１の発明によれば、補給樋とオーバーフロー樋とが一体化されて、当該補給樋の遊技球の流路と当該オーバーフロー樋の遊技球の流路とを有した一体構造部材とされたので、島内の構成を簡素化し得るとともに部品点数を削減することができ、補給樋及びオーバーフロー樋のメンテナンスを一括して行わせることができる。
【００１１】
請求項２の発明によれば、補給樋の遊技球の流路及び前記オーバーフロー樋の遊技球の流路は、島上タンクの側面に形成された開口とそれぞれ接続されたので、従来の如く別個配設された振分けタンク等を不要とすることができ、島設備の構成をより簡素化することができる。
【００１２】
請求項３の発明によれば、補給樋とオーバーフロー樋とは一体化されて上下２層の遊技球の流路を有するものとされるとともに、オーバーフロー樋の遊技球の流路が補給樋の遊技球の流路より上層に位置しつつ延設されたので、当該オーバーフロー樋の遊技球を比較的高い位置から島中タンクに流下させる構成とすることができ、各パチンコ遊技機の間の位置（台間位置）に向かって遊技球を流下させるためのホース等を誘導し易く、当該ホース等の取り回しが容易とされる。
【００１３】
請求項４の発明によれば、島上タンク内には、補給樋をオーバーフローした遊技球が一方の流出樋又は他方の流出樋の何れを優先的に流出させるか切換可能な切換手段が配設されたので、遊技球を優先的に流出させるオーバーフロー樋を容易且つ短時間で変更することができる。
【図面の簡単な説明】
【００１４】
【図１】本発明の実施形態に係るパチンコ遊技機の島設備を示す全体模式図
【図２】同パチンコ遊技機の島設備を示す側面図
【図３】同パチンコ遊技機の島設備における島上タンクを示す平面図
【図４】同パチンコ遊技機の島設備における島上タンクを正面側から見た内部構成図
【図５】同パチンコ遊技機の島設備における島上タンクを側面側から見た内部構成図
【図６】同パチンコ遊技機の島設備における切換手段を示す平面図、正面図及び側面図
【図７】同パチンコ遊技機の島設備における切換手段を一方の向きで配設した状態を示す模式図
【図８】同パチンコ遊技機の島設備における切換手段を他方の向きで配設した状態を示す模式図
【図９】同パチンコ遊技機の島設備における一体化されたオーバーフロー樋及び補給樋を示す断面図
【図１０】同パチンコ遊技機の島設備における一体化されたオーバーフロー樋及び補給樋を示す分解斜視図
【発明を実施するための形態】
【００１５】
以下、本発明の実施形態について図面を参照しながら具体的に説明する。
本実施形態に係るパチンコ遊技機の島設備は、図１、２に示すように、遊技店に設置されるとともにパチンコ遊技機２が複数並列して設置された島状のものから成る。かかる島設備１は、それぞれのパチンコ遊技機２に電力を供給し得るとともに、各パチンコ遊技機２に遊技球を供給し或いは回収する流路（レール等）を具備したものである。
【００１６】
本実施形態で適用されるパチンコ遊技機２は、ガラス板が取り付けられた前面枠を有しており、該ガラス板から遊技者が遊技盤を目視し得るように構成されており、この遊技盤の遊技領域には、図柄表示手段、始動口や大入賞口等の種々役物が配設されている。そして、ハンドルを回転操作することにより、遊技球が遊技盤に発射され、所定の入賞口に入賞或いは最下のアウト穴に至るよう構成されている。
【００１７】
島設備１は、パチンコ遊技機２に電力を供給し得る電力供給手段（不図示）を具備するとともに、島中タンク７ａ、７ｂと、アウトレール８と、研磨機９と、揚送機１０とが内部に設置されている。この島設備１の一端（図１中左側島端）には、Ｊ／Ｃ１１（ジェットカウンターと称される計数機）が配設されており、当該Ｊ／Ｃ１１から受け入れた遊技球が島中タンク７ａ（Ｊ／Ｃ側島中タンク）に流入し得るよう構成されている。更に、島設備１は、島上に配設された島上タンク３と、該島上タンク３から図１中左右方向にそれぞれ延設された補給樋４ａ、４ｂと、同方向にそれぞれ延設されたオーバーフロー樋５ａ、５ｂとを有している。
【００１８】
アウトレール８は、パチンコ遊技球から排出された遊技球を回収するための流路から成り、各パチンコ遊技機２から排出された遊技球が当該アウトレール８を介して島中タンク７ａ、７ｂに至るようになっている。島中タンク７ａ、７ｂは、アウトレール８で回収された遊技球を貯留するためのもので、島設備１の下部に固設されている。研磨機９は、回収された遊技球を研磨するためのもので、当該研磨機９にて研磨された遊技球は、揚送機１０を介して島上タンク３に至るようになっている。
【００１９】
島上タンク３は、島設備１の上面（島上）に配設されるとともに、各パチンコ遊技機２に対して補給すべき遊技球が貯留されるものである。具体的には、島上タンク３は、図３〜５に示すように、揚送機１０の先端が接続され、当該揚送機１０にて揚送された遊技球を貯留しつつその遊技球を、補給樋（一方の補給樋４ａ、他方の補給樋４ｂ）及びオーバーフロー樋（一方の流出樋５ａ、他方の流出樋５ｂ）から流出させるものである。
【００２０】
補給樋（４ａ、４ｂ）は、島上タンク３の両側面から島端（図１における島設備１の左端端及び右側端）に向かって下方に傾斜しつつ延設され、当該島上タンク３内の遊技球を流出させて各パチンコ遊技機２に補給し得る流路から成るものである。即ち、島上タンク３の両側面には、図２に示すように、開口Ｄ１、Ｄ２が上下に形成されており、このうち下方に位置する開口Ｄ１に補給樋４ａ、４ｂがそれぞれ接続されているのである。これにより、揚送機１０にて揚送された遊技球は、開口Ｄ１から流出し、補給樋（４ａ、４ｂ）を介して各パチンコ遊技機２に補給されることとなる。
【００２１】
オーバーフロー樋は、補給樋（４ａ、４ｂ）からオーバーフローした遊技球を流出させて一方の島端側に配設された島中タンク７ａ（Ｊ／Ｃ側島中タンク）に流下させる一方の流出樋５ａ、及び補給樋（４ａ、４ｂ）からオーバーフローした遊技球を流出させて他方の島端側に配設された島中タンク７ｂ（反Ｊ／Ｃ側島中タンク）に流下させる他方の流出樋５ｂから成る。
【００２２】
然るに、揚送機１０の先端から流出された遊技球は、先ず島上タンク３の収容部Ｓ（図３参照）に収容されつつ当該収容部Ｓと連通した開口Ｄ１（図４参照）から、順次、補給樋（４ａ、４ｂ）に流出されるとともに、当該補給樋（４ａ、４ｂ）から流出される流量よりも揚送機１０から供給される流量の方が多くなってオーバーフローすると、切換部材１４が配設された部位に遊技球が至るようになっている。
【００２３】
即ち、オーバーフロー樋を構成する一方の流出樋５ａ及び他方の流出樋５ｂは、それぞれ島上タンク３の両側面に形成された開口Ｄ２に接続されており、補給樋（４ａ、４ｂ）からオーバーフローした遊技球が開口Ｄ２から流出して、一方の流出樋５ａ又は他方の流出樋５ｂを流れ、パチンコ遊技機２を介さずに島中タンク７ａ、７ｂに流下し得るよう構成されているのである。尚、流出樋５ａ、５ｂのそれぞれの先端にはエンド落し金具６ａ、６ｂが形成されており、当該エンド落し金具６ａ、６ｂから延びる流路６ａａ、６ｂａを介してオーバーフローした遊技球が島中タンク７ａ、７ｂに流下するものとされる。
【００２４】
また、島上タンク３の一方の側面には、図３に示すように、水平搬送機１２が配設されており、当該水平搬送機１２からは、隣の島設備における島上タンク（図示せず）まで搬送路１３が延設されている。即ち、本島設備１に貯留された遊技球と隣接する島設備に貯留された遊技球とを図示しないセンサ等で比較し、これらを均等化させるべく水平搬送機１２にて遊技球を搬出又は搬入し得るよう構成されているのである。尚、隣接する島設備から本島設備１の島上タンク３に流入した遊技球は、介在部材１５上に至り、そこから補給樋（４ａ、４ｂ）又はオーバーフロー樋（一方の流出樋５ａ、他方の流出樋５ｂ）から流出されることとなる。
【００２５】
ところで、本実施形態における島上タンク３には、オーバーフローした遊技球が一方の流出樋５ａ又は他方の流出樋５ｂの何れを優先的に流出させるか切換可能な切換部材１４（切換手段）が配設されている。例えば、本実施形態においては、一方の島端（島中タンク７ａ側）にＪ／Ｃ１１が設置されているので、他方の流出樋５ｂから遊技球を優先的に流出させるものとされる。
【００２６】
より具体的には、切換部材１４（切換手段）は、図６に示すように、一方の流出樋５ａに向かって傾斜した第１傾斜面１４ｂと、他方の流出樋５ｂに向かって傾斜した第２傾斜面１４ａとが金属製フレームＦによって上下に形成された島上タンク３とは別体の部材から成るとともに、下方の傾斜面（本実施形態の場合、第２傾斜面１４ａ）にて優先的に遊技球を流出させるものとされている。
【００２７】
即ち、島上タンク３は、切換部材１４のフレームＦの幅と略同一（厳密には若干小さい寸法）の離間寸法とされた一対の固定部位３ａが形成されており、当該固定部位３ａに切換部材１４のフレームＦを嵌合して当該切換部材１４が固定されるよう構成されており、この切換部材１４の固定時（嵌合取付時）において、その向きを任意変更することにより優先的に流出させる流出樋（一方の流出樋５ａ又は他方の流出樋５ｂ）が切換可能とされているのである。
【００２８】
例えば、本実施形態の如くＪ／Ｃ１１が島設備１の一方の端部（図１中左側の島端）に設置されている場合、図７に示すように、第２傾斜面１４ａ（下方の傾斜面）上の遊技球が他方の流出樋５ｂに向かうように取り付け（第１傾斜面１４ｂ上の遊技球が一方の流出樋５ａに向かうように取り付け）、他方の流出樋５ｂからの遊技球の流出を優先的に行わせるものとする。これにより、他方の流出樋５ｂを介して、Ｊ／Ｃ１１が設置された島端とは反対側の島端（反Ｊ／Ｃ側島端）の島中タンク７ｂに遊技球を優先的に流出（オーバーフロー）させることができる。
【００２９】
一方、Ｊ／Ｃ１１を島設備１の他方の端部（図１中右側の島端）に設置されている場合、図８に示すように、第２傾斜面１４ａ（下方の傾斜面）上の遊技球が一方の流出樋５ａに向かうように取り付け（第１傾斜面１４ｂ上の遊技球が他方の流出樋５ｂに向かうように取り付け）、一方の流出樋５ａからの遊技球の流出を優先的に行わせるものとする。これにより、一方の流出樋５ｂを介して、Ｊ／Ｃ１１が設置された島端とは反対側の島端（反Ｊ／Ｃ側島端）の島中タンク７ａに遊技球を優先的に流出（オーバーフロー）させることができる。
【００３０】
ここで、本実施形態においては、図９に示すように、補給樋（４ａ、４ｂ）とオーバーフロー樋（一方の流出樋５ａ、他方の流出樋５ｂ）とが一体化されて、当該補給樋（４ａ、４ｂ）の遊技球の流路と当該オーバーフロー樋（一方の流出樋５ａ、他方の流出樋５ｂ）の遊技球の流路とを有した一体構造部材とされている。より具体的には、補給樋（４ａ、４ｂ）の遊技球の流路と当該オーバーフロー樋（一方の流出樋５ａ、他方の流出樋５ｂ）の遊技球の流路とが上下２層構造とされている。
【００３１】
即ち、本実施形態においては、図９、１０に示すように、蓋部材ａ、中間部材ｂ、側壁部材ｃ及び底部材ｄを組み付けることにより、当該蓋部材ａと中間部材ｂとの間の空間がオーバーフロー樋（一方の流出樋５ａ、他方の流出樋５ｂ）とされるとともに、中間部材ｂと底部材ｄとの間の空間が補給樋（４ａ、４ｂ）とされている。これにより、上下に２層の流路を有した樋を形成するとともに、オーバーフロー樋（一方の流出樋５ａ、他方の流出樋５ｂ）の遊技球の流路が補給樋（４ａ、４ｂ）の遊技球の流路より上層に位置しつつ延設されており、且つ、上側の流路を開口Ｄ２に接続してオーバーフロー樋（一方の流出樋５ａ、他方の流出樋５ｂ）とし、下側の流路を開口Ｄ１に接続して補給樋（４ａ、４ｂ）としている。
【００３２】
蓋部材ａは、中間部材ｂの上部を塞ぐとともに当該中間部材ｂの上端縁部に嵌合にて取り付けられている。而して、蓋部ａを中間部材に対して簡単に取り外すことができ、オーバーフロー樋（一方の流出樋５ａ、他方の流出樋５ｂ）の何れかの部位で遊技球が詰まってしまった場合、蓋部ａを外して容易に詰まりを解消させることができる。また、中間部材ｂの上面がオーバーフロー樋（一方の流出樋５ａ、他方の流出樋５ｂ）の底面を成し、当該中間部材ｂの下面が補給樋（４ａ、４ｂ）の天面を成しているので、部品点数を削減することができる。
【００３３】
尚、オーバーフロー樋（一方の流出樋５ａ、他方の流出樋５ｂ）の先端にそれぞれ形成されたエンド落し金具６ａ、６ｂにおいては、図９に示すように、中間部材ｂの側面に形成された開口から遊技球が図中左右方向に落下し、流路６ａａ、６ｂａを介して島中タンク７ａ、７ｂに至るようになっている。一方、補給樋（４ａ、４ｂ）においては、エンド落し金具６ａ、６ｂが接続された部位で遊技球が落下することはなく（側面の開口が形成されていない故）、更に島端側に向かって流れることとなる。
【００３４】
上記実施形態によれば、補給樋（４ａ、４ｂ）とオーバーフロー樋（一方の流出樋５ａ、他方の流出樋５ｂ）とが一体化されて、当該補給樋（４ａ、４ｂ）の遊技球の流路と当該オーバーフロー樋（一方の流出樋５ａ、他方の流出樋５ｂ）の遊技球の流路とを有した一体構造部材とされたので、それぞれの樋に対して支持部材が必要とされるものに比べ、島設備１における島内の構成を簡素化し得るとともに部品点数を削減することができ、補給樋（４ａ、４ｂ）及びオーバーフロー樋（一方の流出樋５ａ、他方の流出樋５ｂ）のメンテナンスを一括して行わせることができる。
【００３５】
また、補給樋（４ａ、４ｂ）の遊技球の流路（下層の流路）及びオーバーフロー樋（一方の流出樋５ａ、他方の流出樋５ｂ）の遊技球の流路（上層の流路）は、島上タンク３の側面に形成された開口Ｄ１、Ｄ２とそれぞれ接続されたので、従来の如く別個配設された振分けタンク等を不要とすることができ、島設備１の構成をより簡素化することができる。
【００３６】
更に、本実施形態によれば、補給樋（４ａ、４ｂ）とオーバーフロー樋（一方の流出樋５ａ、他方の流出樋５ｂ）とは一体化されて上下２層の遊技球の流路を有するものとされるとともに、オーバーフロー樋（一方の流出樋５ａ、他方の流出樋５ｂ）の遊技球の流路が補給樋（４ａ、４ｂ）の遊技球の流路より上層に位置しつつ延設されたので、従来の如く補給樋より下方でオーバーフロー樋が延設されたものに比べ、当該オーバーフロー樋（一方の流出樋５ａ、他方の流出樋５ｂ）の遊技球を比較的高い位置から島中タンク７ａ、７ｂに流下させる構成とすることができ、各パチンコ遊技機２の間の位置（隣り合うパチンコ遊技機２の間の位置：台間位置）に向かって遊技球を流下させるための流路６ａａ、６ｂａ（ホース等で構成されるもの）を誘導し易く、当該流路６ａａ、６ｂａ（ホース等）の取り回しが容易とされる。
【００３７】
また更に、島上タンク３内には、補給樋（４ａ、４ｂ）をオーバーフローした遊技球が一方の流出樋５ａ又は他方の流出樋５ｂの何れを優先的に流出させるか切換可能な切換手段（切換部材１４）が配設されたので、遊技球を優先的に流出させるオーバーフロー樋（一方の流出樋５ａ又は他方の流出樋５ｂ）を容易且つ短時間で変更することができる。尚、島上タンク３は、切換部材１４を嵌合して固定させ得る固定部位３ａが形成されたので、当該切換部材１４を強固に取り付けることができ、安定して遊技球をオーバーフロー樋（一方の流出樋５ａ或いは他方の流出樋５ｂ）に流出させることができる。
【００３８】
以上、本実施形態について説明したが、本発明はこれに限定されるものではなく、例えば補給樋とオーバーフロー樋とを一体化して一体構造部材とするとともに、上層の遊技球の流路が補給樋（４ａ、４ｂ）とされ、下層の遊技球の流路がオーバーフロー樋（一方の流出樋５ａ或いは他方の流出樋５ｂ）とされたものであってもよく、或いは一体構造部材が左右方向に遊技球の流路が形成され、それぞれ補給樋（４ａ、４ｂ）及びオーバーフロー樋（一方の流出樋５ａ或いは他方の流出樋５ｂ）とされたものであってもよい。
【００３９】
また、島設備１が具備する構成要素については、本発明の特徴点を有するものであれば、種々変更することができ、特に、島上タンク３内の構成を他の形態のものとすることができる。更に、本実施形態においては、水平搬送機１２によって隣り合う島設備１間で遊技球を搬出或いは搬入させているが、本島設備１のみで遊技球を循環、補給させるものに適用してもよい。
【産業上の利用可能性】
【００４０】
補給樋とオーバーフロー樋とが一体化されて、当該補給樋の遊技球の流路と当該オーバーフロー樋の遊技球の流路とを有した一体構造部材とされたパチンコ遊技機の島設備であれば、種々形態のものに適用することができる。
【符号の説明】
【００４１】
１  パチンコ遊技機の島設備
２  パチンコ遊技機
３  島上タンク
４ａ、４ｂ  補給樋
５ａ  一方の流出樋（オーバーフロー樋）
５ｂ  他方の流出樋（オーバーフロー樋）
６ａ、６ｂ  エンド落し金具
７ａ、７ｂ  島中タンク
８  アウトレール
９  研磨機
１０  揚送機
１１  Ｊ／Ｃ
１２  水平搬送機
１３  搬送路
１４  切換部材（切換手段）
１５  介在部材
【図１】
2011136103.tif 000003
【図２】
2011136103.tif 000004
【図３】
2011136103.tif 000005
【図４】
2011136103.tif 000006
【図５】
2011136103.tif 000007
【図６】
2011136103.tif 000008
【図７】
2011136103.tif 000009
【図８】
2011136103.tif 000010
【図９】
2011136103.tif 000011
【図１０】
2011136103.tif 000012